【手続補正書】
【提出日】平成16年4月20日(2004.4.20)
【手続補正１】
【補正対象書類名】明細書
【補正対象項目名】全文
【補正方法】変更
【補正の内容】
【発明の名称】自動販売機の扉開放防止装置
【特許請求の範囲】
【請求項１】自動販売機の本体前面に開閉自在に軸支された扉と、前記本体の両側面のうち前記扉の軸支側に設けられた第１支持部材と前記扉の反軸支側に設けられた第２支持部材と、前記扉の前方であって前記第１支持部材と第２支持部材との間に掛け渡して取り付けられる横棒部材と、前記扉に取り付けられ前記横棒部材を保持する保持部材とを備え、前記横棒部材の一端は第１支持部材に回動自在に軸支され、他端は第２支持部材に施錠固定されることで前記扉の開放を禁止し、前記横棒部材を解錠し前記扉を開閉する時には、前記横棒部材が前記扉と連動して回動することを特徴とした自動販売機の扉開放防止装置。
【請求項２】保持部材は上部が開放されたフック形状である請求項１に記載の自動販売機の扉開放防止装置。
【請求項３】第１支持部材に取付けられた横棒部材の回動軸が自動販売機本体より前に位置することを特徴とする請求項１に記載の自動販売機の扉開放防止装置。
【請求項４】自動販売機本体の左右の側面にそれぞれ設けられた第１支持部材および第２支持部材と、自動販売機前面であって前記第１支持部材と前記第２支持部材との間に取り付けられる横棒部材とからなり、前記横棒部材の一端は前記第１支持部材に、他端は前記第２支持部材に固定することで前記扉の開放を禁止しするとともに、前記横棒部材は定められた角度に回動させた時、前記第１支持部材から取り外すことができる自動販売機の扉開放防止装置。
【請求項５】自動販売機本体の左右の側面にそれぞれ設けられた第１支持部材および第２支持部材と、自動販売機前面であって前記第１支持部材と前記第２支持部材との間に取り付けられる横棒部材とからなり、前記横棒部材の一端は前記第１支持部材に、他端は前記第２支持部材に固定することで前記扉の開放を禁止しするとともに、前記第１支持部材と前記第２支持部材は前記横棒部材を錠による脱着が可能である自動販売機の扉開放防止装置。
【請求項６】第１支持部材と第２支持部材との間に横棒部材を取付けたとき、自動販売機のドアハンドルの前面に前記横棒部材が位置することを特徴とする請求項１から請求項６のいずれか一項に記載の自動販売機の扉開放防止装置。
【請求項７】自動販売機本体の左右の側面にそれぞれ設けられた第１支持部材および第２支持部材と、自動販売機前面であって前記第１支持部材と前記第２支持部材との間に取り付けられる横棒部材とからなり、前記横棒部材を取り外し、さらに扉支軸側に取り付けられた前記第１支持部材を扉支軸側の反対側扉の側面に取り付け変更ができ、かつ扉を閉じた時、前記第１支持部材は前記第２支持部材と嵌合し、施錠することで扉の開放を防止する自動販売機の扉開放防止装置。
【請求項８】自動販売機の本体前面に開閉自在に軸支された扉と、前記本体の側面のうち前記扉の反軸支側に設けられた支持部材と、前記扉を閉じた時前記支持部材に嵌合するように前記扉に設けられたカバー部材とからなり、前記カバー部材は一端を前記扉に回動自在に軸支され、他端は前記支持部材に施錠固定されることで前記扉の開放を禁止するとともに、前記扉のドアハンドルを目隠しすることを特徴とする自動販売機の扉開放防止装置。
【請求項９】自動販売機の本体前面に開閉自在に軸支された扉と、前記本体の両側面のうち前記扉の軸支側に設けられた第１支持部材と前記扉の反軸支側に設けられた第２支持部材と、前記扉の前方であって前記第１支持部材と第２支持部材との間に掛け渡して取り付けられる前面カバー部材と、前記前面カバー部材の一端は第１支持部材に回動自在に軸支され、他端は第２支持部材に施錠固定されることで前記扉の開放を禁止し、前記前面カバー部材は前記扉の前面に設けた貨幣投入口やドアハンドル等を覆い隠すとともに、前記貨幣投入口等の接客に必要な部分に窓を設けたことを特徴とした自動販売機の扉開放防止装置。
【請求項１０】横棒部材が左部材と右部材と中部材の３分割の部材からなり、前記横棒部材の全長が可変でき、かつ左部材と右部材を中部材に固定する固定手段を設けた請求項１から請求項７のいずれか一項に記載の自動販売機の扉開放防止装置。
【請求項１１】自動販売機の本体前面に開閉自在に軸支された扉と、前記本体の両側面のうち、前記扉の軸支側に設けられた第１支持部材と前記扉の反軸支側に設けられた第２支持部材と、前記扉の前方であって前記第１支持部材と第２支持部材との間に掛け渡して取り付けられる横棒部材を有し、前記横棒部材の一端に係合部を設けた第１継手部材と他端には第２継手部材を設け一体化し、前記横棒部材の片端は前記第１支持部材に回動自在に軸支され、他端は前記第２支持部材に施錠固定されることで前記扉の開放を禁止することを特徴とした自動販売機の扉開放防止装置。
【請求項１２】第１支持部材と第１継手部材の係合部を複数箇所設けたことを特徴とする請求項１１に記載の自動販売機の扉開放防止装置。
【請求項１３】第１支持部材と第１継手部材とを一体化された横棒部材の係合回動軸が自動販売機本体前面より前に位置することを特徴とする請求項１１に記載の自動販売機の扉開放防止装置。
【請求項１４】第２支持部材と係合する第２継手部材は、係合時に係止軸を外部から見えないように係合隙間を目隠するカバー部を前記第２継手部材に設けたことを特徴とする請求項１１に記載の自動販売機の扉開放防止装置。
【請求項１５】第２継手部材は扉の角に沿うようなＬ字形状で、横棒部材と着脱自在に取り外し出来る取付部と、前記第２継手部材の中央部には扉とネジにて固定保持できる取付部を有し、前記横棒部材を取り外し、前記固定部材で前記扉に固定することで前記扉の開放を防止する請求項１１に記載の自動販売機の扉開放防止装置。
【請求項１６】第１支持部材は錠による脱着が可能である請求項１１から請求項１４のいずれか一項に記載の自動販売機の扉開放防止装置。
【請求項１７】第１支持部材と前記第２支持部材との間に取り付けられる横棒部材を取り付けたとき、自動販売機のドアハンドルの前面に前記横棒部材が位置することを特徴とする請求項１１から請求項１６のいずれか一項に記載の自動販売機の扉開放防止装置。
【請求項１８】横棒部材が第１継手部材と第２継手部材と中央部材の３つの部材からなり、かつ中央部材は中空とし、前記中央部材の中空部が材質の異なる硬質部材で構成されたことを特徴とする請求項１１から請求項１７のいずれか一項に記載の自動販売機の扉開放防止装置。
【請求項１９】第１継手部材と第２継手部材と横棒部材はそれぞれ取り外し可能な取付部を設けたことを特徴とする請求項１１から請求項１７のいずれか一項に記載の自動販売機の扉開放防止装置。
【請求項２０】自動販売機の本体前面に開閉自在に軸支された扉と、前記扉の両側面の軸支側に設けられた第１支持部材と、前記本体側面であって前記扉の反軸支側に設けられた第２支持部材と、前記扉の前方であって前記第１支持部材と第２支持部材との間に掛け渡して取り付けられる横棒部材を有し、前記第１支持部材は前記本体と連結するための変形可能な連結部材を設け、前記横棒部材の片端は前記第１支持部材に固定され、他端は前記第２支持部材に施錠固定されることで前記扉の開放を禁止することを特徴とした自動販売機の扉開放防止装置。
【請求項２１】連結部材を本体側面に連結する接合部材設け、前記連結部材は扉の開閉に合わせて変形するとき、前記本体側面に設けられた接合部材の高さを超えないことを特徴とする請求項２０に記載の自動販売機の扉開放防止装置。
【請求項２２】第１支持部材は本体と連結する連結部材を複数個取付けできることを特徴とする請求項２０または請求項２１に記載の自動販売機の扉開放防止装置。
【請求項２３】自動販売機の本体前面に開閉自在に軸支された扉と、前記扉の前面に配置される横棒部材と、前記横棒部材の一端を前記本体の一方の側面に連結する連結部材と、前記横棒部材の他端を前記本体側面の他方に施錠固定する錠とを有し、前記錠を施錠し前記横棒部材を前記本体に固定することで前記扉の開放を禁止することを特徴とした自動販売機の扉開放防止装置。
【請求項２４】扉の軸支側の端部に設けられ横棒部材が取り付けられる第１支持部材を設けたことを特徴とする請求項２３に記載の自動販売機の扉開放防止装置。
【請求項２５】自動販売機の本体前面に開閉自在に軸支された扉と、前記扉の前面に配置される横棒部材と、前記扉の左右端に設けられ前記横棒部材を取り付ける支持部材と、前記本体と前記横棒部材とを連結する可撓性の連結部材とを有し、前記連結部材が、前記扉の軸支側もしくは反軸支側の少なくとも一方において、前記横棒部材または前記支持部材と前記本体との間に架設されたことを特徴とする自動販売機の扉開放防止装置。
【請求項２６】自動販売機の本体前面に開閉自在に軸支された扉と、前記扉の軸支側端部に設けられた第１支持部材と、前記本体側面であって前記扉の反軸支側に設けられた第２支持部材と、前記扉の前方であって前記第１支持部材と第２支持部材との間に掛け渡して取り付けられる横棒部材と、前記横棒部材と前記本体とを連結する可撓性の連結部材とを有し、前記横棒部材の一端は第１支持部材に固定され、他端は第２支持部材に施錠固定されることで前記扉の開放を禁止することを特徴とした自動販売機の扉開放防止装置。
【発明の詳細な説明】
【０００１】
【発明の属する技術分野】
本発明は自動販売機の扉開放防止装置に関するものである。
【０００２】
【従来の技術】
近年、自動販売機は飲料等を中心として、多種多様な商品を販売できるようになっている。通常人通りの多い場所に設置し、売り上げを稼ぐようにすることが一般的である。また自動販売機の役割である無人店舗として稼動している場合も多い。
【０００３】
【発明が解決しようとする課題】
しかし、昼間には人通りの多い場所であっても、夜間には人通りが少なくなるため、深夜になると自動販売機の扉の錠を壊され、またこじ開けられ、収納している商品や金銭の被害がしばしば発生している。
【０００４】
そこで、本発明は従来の課題を解決するもので、自動販売機の扉に設けている錠を壊され、あるいは扉をこじ開けようとした場合にも、扉を開けることができないような自動販売機の扉開放防止装置を提供することを目的とする。
【０００５】
また、本発明の他の目的は扉開放防止装置を装着したまままでも、扉の開閉が容易に行えることである。
【０００６】
【課題を解決するための手段】
本発明の請求項１に記載の発明は、自動販売機本体の左右の側面にそれぞれ設けられた第１支持部材および第２支持部材と、自動販売機前面であって前記第１支持部材と第２支持部材との間に取り付けられる横棒部材と、自動販売機の前面扉に取り付けられ前記横棒部材を保持するための保持部材とからなり、前記横棒部材の一端が第１支持部材に回動自在に軸支され、他端は第２支持部材に固定することで扉の開放を禁止し、第２支持部材に固定されている横棒部材を外し、自動販売機の扉を開けたときには、横棒部材が保持部材に沿って扉と同期して開くことにより、横棒部材を先に開放する必要がなく、扉開放防止装置を装着した扉を容易に開放できる作用を有する。
【０００７】
本発明の請求項２に記載の発明は、請求項１に記載の発明に、さらに扉を開けるときに横棒部材が前記扉に接することを防ぐフック状のガイド部を形成する保持部材を備えたものであり、自動販売機の扉を開けたときには、横棒部材が保持部材のガイド部に沿って扉と同期して開くことにより、保持部材が扉に当たることによる扉の傷つきを防ぐ作用を有する。また、フック状であるため、横棒部材の取外しが容易にできる作用を有する。
【０００８】
本発明の請求項３に記載の発明は、請求項１に記載の発明に、さらに第１支持部材に取付けられた横棒部材の回動軸が自動販売機本体より前に位置することをことにより、自動販売機の扉の回転軸と近づくこととなり、扉を開けたとき横棒部材の動作軌跡が小さくなり、横棒部材の出っ張りが少なくなることで邪魔になることがないという作用を有する。
【０００９】
本発明の請求項４に記載の発明は、自動販売機本体の左右の側面にそれぞれ設けられた第１支持部材および第２支持部材と、自動販売機前面であって前記第１支持部材と第２支持部材との間に取り付けられる横棒部材とからなり、前記横棒部材の一端は前記第１支持部材に、他端は前記第２支持部材に固定することで扉の開放を禁止しするとともに、前記横棒部材は定められた角度に回動させた時、前記第１支持部材から取り外すことができるために、隣に自動販売機が接近して設置されている場合は、横棒部材外すことにより、隣の自動販売機に横棒部材が当たることなく、扉を開けることができる作用を有する。
【００１０】
本発明の請求項５に記載の発明は、自動販売機本体の左右の側面にそれぞれ設けられた第１支持部材および第２支持部材と、自動販売機前面であって前記第１支持部材と第２支持部材との間に取り付けられる横棒部材とからなり、前記横棒部材の一端は前記第１支持部材に、他端は前記第２支持部材に固定することで扉の開放を禁止しすることができ、前記第１支持部材と前記第２支持部材は前記横棒部材を錠による脱着が可能となっており、横棒部材を回転させることなく手前に引き出すだけで、横棒部材を取り外すことができ、容易に横棒部材を脱着できる作用を有する。
【００１１】
本発明の請求項６に記載の発明は、請求項１から請求項６のいずれか一項に第１支持部材と第２支持部材との間に横棒部材を取付けたとき、自動販売機のドアハンドルの前面に前記横棒部材が位置するようにしたものであり、これにより、横棒部材を開放しなければ、ドアハンドルを起こして回すことができないため、自動販売機のドア錠を壊されても、ドアを開放することができない作用を有する。
【００１２】
本発明の請求項７に記載の発明は、自動販売機本体の左右の側面にそれぞれ設けられた第１支持部材および第２支持部材と、自動販売機前面であって前記第１支持部材と前記第２支持部材との間に取り付けられる横棒部材とからなり、横棒部材を取り外し、さらに扉支軸側に取り付けられた前記第１支持部材を扉支軸側の反対側扉の側面に取り付け変更することで、扉を閉じた時、前記第１支持部材は前記第２支持部材とお互いのコの字状の部分を嵌合し、第２支持部材の固定軸にて施錠することで扉の開放を防止する作用を有する。
【００１３】
本発明の請求項８に記載の発明は、自動販売機の本体前面に開閉自在に軸支された扉と、前記本体の側面のうち前記扉の反軸支側に設けられた支持部材と、扉を閉じた時前記支持部材に嵌合するように扉に設けられたカバー部材とからなり、前記カバー部材は一端を扉に回動自在に軸支され、他端は前記支持部材に施錠固定されることで前記扉の開放を禁止するとともに、扉のドアハンドルを目隠しすることにより、カバー部材が支持部材に施錠されているときは、ドアハンドルに触れることができないため、ドアハンドル部の錠を壊すことが困難であり、ドア破損の被害を防ぐ作用を有する。
【００１４】
本発明の請求項９に記載の発明は、自動販売機の本体前面に開閉自在に軸支された扉と、前記本体の両側面のうち前記扉の軸支側に設けられた第１支持部材と前記扉の反軸支側に設けられた第２支持部材と、前記扉の前方であって前記第１支持部材と第２支持部材との間に掛け渡して取り付けられる前面カバー部材と、前記前面カバー部材の一端は第１支持部材に回動自在に軸支され、他端は第２支持部材に施錠固定されることで前記扉の開放を禁止し、前記前面カバー部材は扉の前面に設けた貨幣投入口やドアハンドル等を覆い隠すとともに、前記貨幣投入口等の接客に必要な部分に窓を設けたことにより、自動販売機の販売機能を保ちつつ、扉のこじ開けを防止し、特に貨幣等を収納している部分のこじ開け、破壊を防ぐ作用を有する。
【００１５】
本発明の請求項１０に記載の発明は、請求項１から請求項７の発明に、さらに横棒部材が左部材と右部材と中部材の３分割の部材とし、横棒部材の全長が可変でき、かつ左部材と右部材を中部材に固定する固定手段を設けたことにより、自動販売機の幅寸法が変わっても、中部材に固定している左部材と右部材とを横棒部材の全長が変わるように固定し直すことにより、新たな自動販売機に装着できる作用を有する。
【００１６】
本発明の請求項１１に記載の発明は、自動販売機本体の左右側面にそれぞれ設けられた第１支持部材と第２支持部材と、自動販売機前面であって前記第１支持部材と第２支持部材との間に掛け渡して取り付けられる横棒部材を有し、前記横棒部材の一端に係合部を設けた第１継手部材と他端には第２継手部材を設け一体化してなり、前記横棒部材の片端は第１支持部材に回動自在に軸支され、他端は第２支持部材に施錠固定されることで前記扉の開放を禁止し、第1継手部材と第２継手部材がそれぞれ第1支持部材と第２支持部材と隙間無く係合することにより、悪戯がされにくくする作用を有する。
【００１７】
本発明の請求項１２に記載の発明は、請求項１１の記載の発明に、さらに第１支持部材と第1継手部材と係合する係合部を複数設けることにより、1箇所が破壊されたとしても、他の箇所で係合されていることで係合部が外れにくい作用を有する。
【００１８】
本発明の請求項１３に記載の発明は、請求項１１の記載の発明に、さらに第１支持部材に取付けられた第１継手部材と一体化された横棒部材の回動軸が、自販機本体より前面に位置することにより、自動販売機の扉の回転軸と近づくことになり、扉を開けたとき横棒部材の動作軌道が小さくなり、横棒部材の出っ張りが自販機側面より少なくなることで邪魔になることは無く自動販売機の設置面積を小さく出来る作用がある。
【００１９】
本発明の請求項１４に記載の発明は、請求項１１の記載の発明に、さらに第２支持部材と係合する第２継手部材を、係合する係止軸を外部から見えない様、係合隙間を目隠し係合軸の後部位置までカバーすることで、悪戯がされにくくする作用を有する。
【００２０】
本発明の請求項１５に記載の発明は、請求項１１の記載の発明に、さらに第２支持部材と係合する第２継手部材を、係合する係止軸と他端は横棒部材と着脱自在に取り外し出来る取付部を有して着脱自在にとし、前記第２継手部材の中央部には扉とネジにて固定保持できる取付部を有した逆Ｌ形状であり、横棒部材が不要な扉構造、設置場所には、右ドアーのみこじ開けが防止できる防盗部品として装着が出来る為、防盗ツール部品の共用化が図れる作用を有する。
【００２１】
本発明の請求項１６に記載の発明は、請求項１１の記載の発明に、さらに前記第１支持部材と前記第２支持部材に前記横棒部材をそれぞれ錠による施錠固定されることで脱着が可能となっており、横棒部材の扉開閉時の出っ張りが不要となり、更に設置面積が小さく出来、同一部品で設置条件に応じて施錠の選択が出来る構造であり部品の共用化が図れる作用がある。
【００２２】
本発明の請求項１７に記載の発明は、請求項１１から請求項１５のいずれか１項に第１支持部材と第２支持部材との間に横棒部材又は第２継手部を取り付けたとき、自動販売機のドアハンドルの前面に前記横棒部材が位置するようにしたものであり、これにより、横棒部材を開放しなければ、ドアハンドルの錠を破壊し回すことが出来ない為、自動販売機側の錠を破壊されないので、自動販売機本体の施錠を有効に使え、堅牢性が向上でき、確実にドアを開放することが出来ない作用を有する。
【００２３】
本発明の請求項１８に記載の発明は、請求項１１から請求項１５の発明にさらに横棒部材が第１継手部材と第２継手部材と中央部材の３つの部材とし、前記中部材は中空として、前記中空部の中に材質の異なる硬質部材を入れることにより、横棒部材を切断しにくくなり、小型化で堅牢性が高くできる作用を有する。
【００２４】
本発明の請求項１９に記載の発明は、請求項１１から請求項１５および請求項１７、請求項１８の発明に、さらに第１継手部材と第２継手部材と横棒部材はそれぞれ取り外し可能な取付部を設けたことで、自動販売機のドアー巾寸法が異なる場合、横棒部材を取替えることにより各種の自販機に対応が出来、低価格で、ドア開放に対し堅牢性の強化が図れる作用を有する。
【００２５】
本発明の請求項２０に記載の発明は、自動販売機の本体前面に開閉自在に軸支された扉と、前記扉の両側面の軸支側に設けられた第１支持部材と、前記本体側面であって扉の反軸支側に設けられた第２支持部材と、前記扉の前方であって前記第１支持部材と第２支持部材との間に掛け渡して取り付けられる横棒部材を有し、前記第１支持部材は前記本体と連結するための変形可能な連結部材を設け、前記横棒部材の片端は第１支持部材に固定され、他端は第２支持部材に施錠固定されることで、第１支持部材と本体を変形可能な連結部材で連結したため、扉の軸支側の開放防止を行うとともに、扉を開けるときに連結部材が扉に沿うように変形するために扉を閉めている時より横方向に突出することがなく、連結部材を取付けたままでも、隣接する他の自動販売機の邪魔にならないように扉の開閉ができる作用を有する。
【００２６】
本発明の請求項２１に記載の発明は、請求項２０の発明に、さらに連結部材を本体側面に連結する接合部材設け、連結部材は扉の開閉に合わせて変形するとき、前記本体側面に設けられた接合部材の高さを超えないことで、扉を開けるときに連結部材が扉に沿うように変形するために扉を閉めている時の接合部材の高さより横方向に突出することがなく、連結部材を取付けたままでも、隣接する他の自動販売機の邪魔にならないように扉の開閉ができ、隣に他の自動販売機を設置する時に間隔を空けることに注意をする必要がなく、設置作業を容易にする作用を有する。
【００２７】
本発明の請求項２２に記載の発明は、請求項２０および請求項２１の発明に、さらに第１支持部材は本体と連結する連結部材を複数個取付けできることで、第１支持部材と本体との連結数を簡単に増やすことができ、扉の開放防止を強化する作用を有する。
【００２８】
本発明の請求項２３に記載の発明は、自動販売機の本体前面に開閉自在に軸支された扉と、扉の前面に配置される横棒部材と、横棒部材の一端を前記本体の側面の一方に連結する連結部材と横棒部材の他端を本体側面の他方に施錠固定されることで前記扉の開放を禁止するもので、横棒部材と連結部材を直接本体と連結することにより、悪戯される恐れのある部材を減らす作用を有する。
【００２９】
本発明の請求項２４に記載の発明は、請求項２３の発明にさらに、扉の軸支側の端部に横棒部材が取り付けられる第１支持部材を設けたものであり、扉を開放した際に、第１支持部材により横棒部材を支えることができ、扉の開放に沿って動くことにより邪魔にならない作用を有する。
【００３０】
本発明の請求項２５に記載の発明は、自動販売機の本体前面に開閉自在に軸支された扉と、扉の前面に配置される横棒部材と、横棒部材を取り付ける支持部材を扉の左右端に設け、本体と横棒部材とを連結する可撓性の連結部材とを有し、連結部材が、扉の軸支側または反軸支側の少なくとも一方において、横棒部材または支持部材と本体との間に架設されたものであり、横棒部材の両端を扉の左右端の支持部材に固定することにより、扉の開放する際、横棒部材は扉に付随して動作するため、横棒部材が邪魔にならず、また扉前面の悪戯に対して防止する作用を有する。
【００３１】
本発明の請求項２６に記載の発明は、自動販売機の本体前面に開閉自在に軸支された扉と、扉の軸支側端部に設けられた第１支持部材と、本体側面であって扉の反軸支側に設けられた第２支持部材と、扉の前方であって第１支持部材と第２支持部材との間に掛け渡して取り付けられる横棒部材と、横棒部材と本体とを連結する可撓性の連結部材とを有し、横棒部材の一端は第１支持部材に固定され、他端は第２支持部材に施錠固定されるもので、扉の一端に設けられた第１支持部材が横棒部材を支えていることで扉の開放に沿って横棒部材が動くことにより邪魔にならず、また横棒部材が連結部材によって直接本体と連結することにより、第１支持部材が悪戯されたとしても、扉の開放を禁止する作用を有する。
【００３２】
【発明の実施の形態】
以下、本発明の自動販売機の扉開放防止装置の実施の形態について、図面を参照しながら説明する。
【００３３】
（実施の形態１）
図１は本発明の実施の形態１による自動販売機の扉開放防止装置の斜視図、図２は同実施の形態による自動販売機の扉開放防止装置の正面図、図３は同実施の形態による自動販売機の扉開放防止装置の上面図、図４は同実施の形態による自動販売機の扉開放防止装置の第１支持部材の詳細図、図５は同実施の形態による自動販売機の扉開放防止装置の第２支持部材の詳細図である。
【００３４】
図１から図５において、１は自動販売機の本体、１ａは隣接して設置した自動販売機、２は自動販売機の扉であり、本体１の前面に開閉可能に軸支されている。３は本体１の左側面、すなわち扉２の軸支側の側面に取付けられている支持部材（第１支持部材）である。４は本体１の右側面、すなわち扉２の軸支側とは反対側の側面に取付けられている支持部材（第２支持部材）である。５は支持部材３と支持部材４とに取り付けて自動販売機の扉２の開放を禁止する横棒部材であり、両端はＬ字状に曲げられ、さらに軸を通す穴が設けられている。
【００３５】
支持部材３は、前後方向の断面形状がコの字状であり、この支持部材３のコの字状の上下部分に穴が設けられており、この穴に後述する支軸９が上下方向に挿入され、横棒部材５の一端を支軸９を用いて回動自在に軸支されている。
【００３６】
さらに固定ピン（図示せず）で支軸９が抜けないように固定されている。この固定ピンは支持部材３を自動販売機取り付ける面に設けることが望ましい。つまり支持部材３が自動販売機に取付けられた状態では固定ピンは見えないことになる。
【００３７】
６は自動販売機の扉２を開放する時に、支持部材４から外した横棒部材５を保持するための保持部材である。７は扉２を開けるときに操作するドアハンドル、８はドアハンドル７に設けたドア錠である。
【００３８】
９は横棒部材５の一端を支持部材３に回動自在に軸支するための支軸であり、この支軸９をさらに抜けないように固定ピンで固定するのが一般的である。１０は支持部材４の錠であり、この錠１０の位置は図面では正面に設けられている。１１は横棒部材５の他端を支持部材４に固定するための固定軸である。
【００３９】
以上のように構成された自動販売機の扉開放防止装置について、以下その動作を説明する。
【００４０】
図１、図２は、横棒部材５が支持部材３と支持部材４に取付けられて扉２を開放できない状態である。この状態では横棒部材５は丁度ドアハンドル７の前面に位置しており、たとえドア錠８を壊されたとしても、ドアハンドル７を起こすことはできないため、扉２を開放することができません。
【００４１】
次に扉２を開放する場合は、まず支持部材４の錠１０を開けて横棒部材５を支持部材４から外し、横棒部材５を保持部材６に掛ける。
【００４２】
ここで本実施の形態では、支持部材４の錠１０の位置は正面に図示されているが、支持部材４の上面、もしくは下面に設けてもよい。
【００４３】
さらに扉２のドアハンドル７に設けられているドア錠８を開け、ドアハンドル７を回して扉２を開放する。
【００４４】
この時、図３に示すように、扉２を開くと横棒部材５は保持部材６にガイドされて、扉２と同時に解放される。
【００４５】
このように横棒部材５が保持部材６にガイドされるように解放されるために、前もって横棒部材５を開放する必要がなく、また扉２を開放する時に、横棒部材５の開放位置が悪いと、開放途中で当たってしまい、扉２が傷つく恐れがある。
【００４６】
また、扉２を閉じると、横棒部材５は、保持部材６に保持，ガイドされて、扉２と連動して回動する。
【００４７】
図３の破線は扉２を開放した状態であり、この図からもわかるとおり左側に自動販売機１ａを隣接して設置した場合、横棒部材５が隣の自動販売機に当たることが考えられる。そのため、横棒部材５を支える支持部材３の支軸の位置をできるだけ自動販売機本体１よりの手前にあることが望ましい。
【００４８】
また、支持部材４を対象形にしたものを支持部材４の代わりに取付けることによって、隣接して自動販売機を設置した場合にも、錠を２個外すことによって、横棒部材５を完全に取り外すことができ、扉２を開放したときに横棒部材５が隣の自動販売機に干渉することがなくなる。この場合、横棒部材５の両端にあけられた穴は同一径にすれば、支持部材３を取り替えるだけで対応することができる。
【００４９】
（実施の形態２）
図６は、本発明の実施の形態２による自動販売機の扉開放防止装置の第１支持部材と横棒部材取り付けの斜視図、図７は同実施の形態による自動販売機の扉開放防止装置の第１支持部材と横棒部材取り付けの正面図である。
【００５０】
図６、図７において、３Ａは支持部材（第１支持部材）で実施の形態１にさらに横棒部材５を挿入する穴を設けてある。１２は横棒部材５に嵌入されているピンである、１３は横棒部材５を挿入する挿入穴で、ピン１２が通過できる溝１４が２箇所に設けられている。１５は横棒部材５を挿入後、ピン１２と共に回転させるための座が設けられている。
【００５１】
以上のように構成された自動販売機の扉開放防止装置において、以下その動作を説明する。
【００５２】
まず、横棒部材５の一端を支持部材３に取付ける場合、図６のように横棒部材５を固定取り付け位置より角度を持たせた状態で、挿入穴１３に挿入する（矢印Ａ）。その時、横棒部材１２に設けたピン１２が溝１４に沿うように挿入する。
【００５３】
ピン１２が第１支持部材に設けられた座１５に届くまで挿入した後、横棒部材５の他端を水平位置まで回転させて（矢印Ｂ）、支持部材４に施錠する。
【００５４】
これで横棒部材１２に設けたピン１２は支持部材３Ａに設けられた座１５に係止されることで、横棒部材５が水平状態では引き抜くことはできない。
【００５５】
また、ピン１２は座１５の内部に位置し、外部から簡単に触れることができない。
【００５６】
図７は横棒部材５の一端を支持部材３Ａに取付けた状態で、（図示しない）他端は実施例１と同様に支持部材４で施錠されている。
【００５７】
この状態ではピン１２が支持部材３Ａに設けられた座１５の位置で係止されており、引き抜くことはできない。
【００５８】
次に扉２を開ける場合は、支持部材４の施錠を外し、横棒部材５を回転させて、横棒部材５のピン１２が支持部材３Ａの溝１４と一致させて、手前に引き抜くことにより、横棒部材５を取り外すことができる。
【００５９】
この後、扉２のドア錠８を開錠し、扉２を開放する。
【００６０】
なお、本実施の形態では、横棒部材５を取り外す時の回転角度を水平から４５度程度としたが、特に角度の限定はなく、横棒部材５が水平位置で施錠固定された時、支持部材３Ａにて横棒部材５が係止される状態であればよい。また、支持部材３Ａに設けた溝１４の位置についても、角度を限定するものではなく、横棒部材５を回転させて取り付け、取り外しがし易い角度位置とすることが望ましい。
【００６１】
以上の本実施の形態では横棒部材５を支持部材３Ａから取り外すことができるため、自動販売機が隣接している設置状態の場所においても、扉２を開放した時に、隣に設置した自動販売機に横棒部材５が当たることがなく、本発明の自動販売機の扉開放防止装置を取付けることができる。
【００６２】
（実施の形態３）
図８は本発明の実施の形態３による自動販売機の扉開放防止装置の斜視図である。
【００６３】
図８において、実施の形態１、実施の形態２では横棒部材５が自動販売機の扉２の前面に位置するため、外観上のデザインが損なわれる。設置場所によっては、自動販売機の外観デザインを生かした集客を望む場合も考えられる。
【００６４】
そこで、図８に示すように実施の形態１、実施の形態２の状態から、まず横棒部材５を取り外し、さらに扉２の扉の固定軸があるヒンジ側の支持部材３を取り外し、扉２の軸支側とは反対側の扉２の側面に取付ける。
【００６５】
この時、支持部材３と支持部材４のお互いのコの字部分を組み合わせることができる寸法で、かつ支持部材３の支軸９を通す穴と、支持部材４の固定軸１１の寸法を同じ径に合わせておくことにより、扉２を閉じたときに支持部材４の施錠により支持部材３と嵌合することができる。
【００６６】
以上のように本実施の形態では、横棒部材５を取り外し、支持部材３を扉２のヒンジ側の反対側に支持部材４とお互いにコの字部分を組み合わせるように取付けることにより、横棒部材５が自動販売機の前面デザインを損ねることがなく、かつ扉２の施錠を強化することができます。また、実施の形態１、実施の形態２で説明した支持部材３，３Ａと支持部材４を本実施の形態で説明した寸法仕様とすることで兼用することが可能となります。
【００６７】
（実施の形態４）
図９は本発明の実施の形態４による自動販売機の扉開放防止装置の斜視図である。
【００６８】
図９において、１６はドアハンドル７を覆い隠すカバー部材である。
【００６９】
以上のように構成された自動販売機の扉開放防止装置において、以下その動作を説明する。
【００７０】
カバー部材１６はＬ字状の形状で一端は扉２の前面に回動自在にヒンジ構造で取付けられており、他端は凸形状で、支持部材４のコの字状の部分に嵌合するような形状となっている。
【００７１】
またカバー部材１６は、支持部材４と嵌合し、施錠された時に、丁度カバー部材１６がドアハンドル７を覆い隠すように取付けられている。さらにヒンジの取付け部はカバー部材１６を閉じた時、取付けネジ等（図示しない）は見えない構造としている。
【００７２】
扉２を開ける場合は、まず支持部材４の下部に設けられた錠を外し、カバー部材１６を支持部材４から開放し、さらに扉２に設けているドアハンドル７の錠８を外すことにより、ドアハンドル７がポップアップし、ドアハンドル７を回すことにより、扉２を開放する。
【００７３】
扉２を閉じる時は、扉２を閉の位置に押し入れてドアハンドル７がロック位置に戻った後、ドアハンドル７を押し込み扉２の施錠が完了する。さらにカバー部材１６を支持部材４に嵌合し、施錠する。
【００７４】
以上のように本実施の形態は、カバー部材１６が一端を扉２に回動自在に軸支され、他端は前記支持部材４に施錠固定されることで前記扉２の開放を禁止するとともに、扉２のドアハンドル７を目隠しすることにより、カバー部材１６が支持部材４に施錠されているときは、ドアハンドル７に触れることができないため、ドアハンドル７の錠８を壊すことが困難であり、扉２の破損の被害を防ぐ効果があります。
【００７５】
また、扉２のドアハンドル７の施錠が不十分であっても、カバー部材１６がドアハンドル７を覆い隠すように取付けられている為、扉２が開放することがありません。
【００７６】
（実施の形態５）
図１０は本発明の実施の形態５による自動販売機の扉開放防止装置の斜視図である。
【００７７】
図１０において、１７は扉２の前面を左右に渡りカバーする前面カバー部材で、１８は貨幣を投入する貨幣投入口、１９は紙幣を投入する紙幣投入口、２０は投入した金額等を表示する金額表示装置、２１は釣銭を返却指示する釣銭返却レバーである。
【００７８】
前面カバー部材１７は一端を支持部材３に回動自在に軸支されており、他端は支持部材４に施錠固定できる構造となっている。
【００７９】
本実施の形態では、前面カバー部材１７の貨幣投入口１８、紙幣投入口１９、金額表示装置２０、釣銭返却レバー２１の部分対応する位置に窓を設けて、接客に必要な部分は外部から操作できるようになっている。
【００８０】
また、ドアハンドル７や上記貨幣投入口１８、紙幣投入口１９、金額表示装置２０、釣銭返却レバー２１の周囲は覆い隠されている。
【００８１】
以上のように構成された自動販売機の扉開放防止装置において、以下その動作を説明する。
【００８２】
支持部材３に軸支された前面カバー部材１７を支持部材４に施錠固定することで、ドアハンドル７や上記貨幣投入口１８、紙幣投入口１９、金額表示装置２０、釣銭返却レバー２１の周囲は覆い隠されかつ接客に必要な部分は窓を設けてあるため、自動販売機での購入操作には支障はない。
【００８３】
扉２を開ける場合は、まず支持部材４の施錠を外し、前面カバー部材１７を開放し、さらに扉２の施錠を外してドアハンドル７を回転させて扉２を開放する。
【００８４】
以上のように本実施の形態は、前面カバー部材１７が一端を支持部材３に回動自在に軸支され、他端は支持部材４に施錠固定されることで前記扉２の開放を禁止するとともに、扉２のドアハンドル７を目隠しすることにより、前面カバー部材１７が支持部材４に施錠されているときは、ドアハンドル７に触れることができないため、ドアハンドル７の錠８を壊すことが困難であり、さらに貨幣投入口１８、紙幣投入口１９、金額表示装置２０、釣銭返却レバー２１の周囲を覆い隠すことにより、扉２の破損の被害を防ぐ効果があります。
【００８５】
また、扉２のドアハンドル７の施錠が不十分であっても、カバー部材１６がドアハンドル７を覆い隠すように取付けられている為、扉２が開放することがありません。
【００８６】
（実施の形態６）
図１１は本発明の実施の形態６による自動販売機の扉開放防止装置の斜視図である。
【００８７】
図１１において、２２は横棒部材を３分割した内の一つで主部材となる中部材、２３は横棒部材を３分割した内の一つで支持部材３と軸支される左部材、２４は横棒部材を３分割した内の一つで支持部材４に施錠固定される右部材、２５は左部材２３、右部材２４にそれぞれ設けられた複数のネジ穴（固定手段）で、２６は中部材２２と左部材２３、右部材２４とを固定するためのネジ（固定手段）である。中部材２２にはネジ２６を通す穴（図示しない）を設けてある。
【００８８】
ここでは、ネジ穴２５を左部材２３、右部材２４に複数設けてあるが、中部材２２側に穴を複数設けても良い。
【００８９】
本実施の形態では、中部材２２は角材を用いているが、丸材を用いても良い。
【００９０】
左部材２３、右部材２４はそれぞれＬ字状の形状で、一端に支持部材３または支持部材４に軸支、固定するための穴が設けられ、他端にネジ穴２５が複数設けられている。
【００９１】
中部材２２との接合は、ネジ穴２５を設けた側を中部材２２に左部材２３、右部材２４を挿入し、自動販売機の幅寸法に合わせた位置で左部材２３、右部材２４を中部材２２にネジ２６を用いて固定する。
【００９２】
これで中部材２２、左部材２３、右部材２４とが一体になることにより、横棒部材５と同様に使用することができるようになる。
【００９３】
ここで、ネジの締める方向は、横棒部材の両端である左部材２３と右部材２４の両端がＬ字に曲がって向いている方向からネジ締める構造である。つまり、横棒部材５が扉の前に固定された時、ネジが見えないようになっている。
【００９４】
横棒部材５の全長を別の自動販売機の幅寸法に合わせる場合は、中部材２２に固定した左部材２３と右部材２４のネジ２６を外し、左部材２３と右部材２４をスライドさせて、横棒部材５の全長を調整し、左部材２３と右部材２４に設けた複数のネジ穴２５の内適当な箇所でネジ２６で固定する。
【００９５】
これで、横棒部材５の全長を変えることができ、他の自動販売機に転用することができる。
【００９６】
以上のように本実施の形態は、請求項１から請求項７の発明に、さらに横棒部材５が左部材２３と右部材２４と中部材２２の３分割の部材とし、横棒部材５の全長が可変でき、かつ左部材２３と右部材２４を中部材２２に固定する固定手段を設けたことにより、自動販売機の幅寸法が変わっても、中部材２２に固定している左部材２３と右部材２４とを横棒部材の全長が変わるように固定し直すことにより、新規に横棒部材５を準備することなく、新たな自動販売機に装着することができる。
【００９７】
また、多種の幅を持つ自動販売機に対して、横棒部材５は一つで対応することができます。
【００９８】
（実施の形態７）
図１２は本発明の実施の形態７による自動販売機の扉開放防止装置の斜視図、図１３は同実施の形態による自動販売機の扉開放防止装置の詳細図、図１４は同実施の形態による自動販売機の扉開放防止装置の詳細図、図１５は同実施の形態による自動販売機の扉開放防止装置の上面図、図１６は同実施の形態による自動販売機の扉開放防止装置の上面図、図１７は同実施の形態による自動販売機の扉開放防止装置の詳細図である。
【００９９】
図１２から図１５において、１は自動販売機の本体、１００は隣接して設置した自動販売機、２は自動販売機の扉であり、本体１の前面に開閉可能に軸支されている。３０は本体１の左側面、すなわち扉２の軸支側の側面に取付けられている支持部材（第１支持部材）である。３１は本体１の右側面、すなわち扉２の軸支側とは反対側の側面に取付けられている支持部材（第２支持部材）である。
【０１００】
３２は支持部材３０と回動自在に軸支する継手部材（第1継手部材）、３３は支持部材３１に施錠固定される継手部材（第２継手部材）、３４は継手部材３２と継手部材３３とに接続固定された横棒部材である。
【０１０１】
支持部材３０と継手部材３２の軸支部分は図１３のようになっており、支持部材３０の先端部３７と継手部材３２の先端がそれぞれくし状で互い違いに勘合した上で、固定ピン３６が支持部材３０に勘入固定され、継手部材３２が回動自在になるように軸支されている。
【０１０２】
さらに固定ピン３６は支持部材３０のくし状先端部３７に勘入される際に少なくとも2箇所以上はくし状先端部３７に固着されることが望ましい。
【０１０３】
横棒部材３４は継手部材３２に設けた係合部である穴３２ａに勘入し固定されており、さらに引き抜け防止のために、固定ピン３５が打ち込まれている。
【０１０４】
横棒部材３４はさらに反対側では、継手部材３３に勘入し、固定ピン４４で抜けないように固定されている。
【０１０５】
継手部材３３はＬ字形状をしており、ドア２の前面に回りこんだ形状でドアハンドル７をカバーする位置に取り付けるとさらに効果的である。
【０１０６】
支持部材３１と継手部材３３との施錠部分はそれぞれ凹凸形状で係合し、施錠ピン４１が継手部材の一部を貫通し施錠されている。
【０１０７】
さらに継手部材の先端のカバー部４０は施錠ピン４１をカバーするように迫り出しており、施錠時には、施錠ピン４１は見えないようになっている。
【０１０８】
支持部材３１は本体１の横面１ａに取り付けネジ４６によって固定されている。
【０１０９】
本実施の形態では、錠４７は支持部材３１の下部に設けられていますが、上部、背面部に設けてもよい。
【０１１０】
以上のように構成された自動販売機の扉開放防止装置について、以下その動作を説明する。
【０１１１】
図１２は、横棒部材３４が取り付けられた継手部材３２と継手部材３３がそれぞれ支持部材３０と支持部材３１に固定、施錠されて扉２を開放できない状態である。この状態では継手部材３３は丁度ドアハンドル７の前面に位置しており、たとえドア錠８を壊されえたとしても、ドアハンドル７を起こすことはできないため、扉２を開放することができません。
【０１１２】
次に扉２を開放する場合は、まず支持部材３１の錠４７を開けて継手部材３３を取り付けた横棒部材３４を支持部材３１から外す。
【０１１３】
ここで支持部材３１の錠４７の位置は、支持部材３１の上面、もしくは下面に設けてもよい。
【０１１４】
さらに扉２のドアハンドル７に設けられているドア錠８を開け、ドアハンドル７を回して扉２を開放する。
【０１１５】
この時、図１５に示すように、扉２を開くと横棒部材５は扉２と同時に解放される。
【０１１６】
図１５の破線は扉２を開放した状態であり、この図からもわかるとおり左側に自動販売機１００を隣接して設置した場合、横棒部材３４が隣の自動販売機に当たることが考えられる。そのため、横棒部材３４を支える支持部材３０の支軸の位置をできるだけ自動販売機本体１よりの手前にあることが望ましい。
【０１１７】
また、支持部材３０に錠３９を設け、取り外し可能な構造とすることで、横棒部材３４を回動させることなく、自動販売機の手前に引き抜くように取り外すことができ、横棒部材３４が回動したときに隣接した自動販売機に干渉することなく設置することができます。
【０１１８】
また、図１６に示すように、継手部材３３に取付部４５（ネジによる固定）を設け扉２の表板金面４２に固定し、支持部材３０および継手部材３３、さらに横棒部材３４を取りつけることにより、Ｌ字形状である継手部材３３が扉２の開放を防止することができる。
【０１１９】
さらに、図１７に示すとおり、継手部材３２、３３と横棒部材３４の接続は継手部材３２と横棒部材３４にそれぞれ穴を設け、固定ピン５０で接続固定する方法がある。
【０１２０】
また他の方法として、継手部材３３にめすネジ５３を設け、横棒部材３４におすネジ５２を設けて、ねじ込む方法も考えられる。
【０１２１】
いずれの方法も、各部品が破損した場合には、破損部分のみを分解して交換することができる。
【０１２２】
また、横棒部材３４の中心部５４を別部材、たとえば硬度の異なる部材を挿入することで切断に対し強度を向上することも効果的である。
【０１２３】
硬度の異なる部材は、例えば金属では、鋼材料、ステンレス材料等であり、非金属材料ではコンクリート、砂、砂利等が効果的である。
【０１２４】
以上のように本実施の形態の自動販売機の扉開放防止装置は、第１支持部材３０と第２支持部材３１と第１継手部材３２と第２継手部材３３と横棒部材３４とから構成され、第１支持部材３０に第１継手部材３２を回動自在に固定する固定ピン３６の回動部が見えないように、また第２支持部材３１と第２継手部材３３の施錠部分が見えないようにカバー部４０により目隠しされていることで、扉開放の悪戯に対し、さらに防止効果が得られる。
【０１２５】
（実施の形態８）
図１８は本発明の実施の形態８による自動販売機の扉開放防止装置の斜視図、図１９は同実施の形態による自動販売機の扉開放防止装置の詳細図、図２０は同実施の形態による自動販売機の扉開放防止装置の上面図である。
【０１２６】
図１８から図２０において、１は自動販売機の本体、２は自動販売機の扉であり、本体１の前面に開閉可能に軸支されている。２ａは扉の軸支側前面部で、６０は２ａ部分に取付けられている支持部材（第１支持部材）である。６１は本体１の右側面、すなわち扉２の軸支側とは反対側の側面に取付けられている支持部材（第２支持部材）である。
【０１２７】
６２は一端を支持部材６０に固定され、もう一端は継手部材６３を介して、支持部材６１に施錠されている横棒部材である。
【０１２８】
６ａは扉２を開けるときに、支持部材６１から外した横棒部材６２を保持する保持部材で、７は扉２を開けるときに操作するドアハンドルである。
【０１２９】
６４は支持部材６０と本体１とを連結する連結部材で、６５は連結部材６４を本体に接合するための接合部材である。本実施の形態では連結部材６４は鎖を用いているが、金属ワイヤーのようなものでもよい。
【０１３０】
図１９に示すとおり、支持部材６０と連結部材６４とは固定ボルト６６で接合され、さらに第１支持部材６０を扉の軸支側前面部２ａに固定している。固定ボルト６６の頭部は支持部材６０に沈んでいることが望ましい。また固定ボルト６６は扉２の内部から固定されていて、扉２の外部からは見えない構造であればさらに効果がある。
【０１３１】
また横棒部材６２を挿入する支持部材６０の挿入穴は、横棒部材６２を挿入した際、少し隙間が空くように穴の大きさを設けており、横棒部材６２を支持部材６０に差し込んだ時、多少上下に動かすことができる。これは扉２を開けたときに横棒部材６２を保持部材６ａに掛けることができるように作用する。
【０１３２】
以上のように構成された自動販売機の扉開放防止装置について、以下その動作を説明する。
【０１３３】
図２０は、扉が閉じられた状態で、さらに横棒部材６２が取り付けられた継手部材６３と支持部材６１が施錠され、支持部材６０が接合部材６５に連結部材６４を介して連結されている状態である。
【０１３４】
まず扉２を開放する場合は、支持部材６１の錠（図示しない）を開けて継手部材６３に取り付けた横棒部材６２を支持部材６１から外す。
【０１３５】
ここで支持部材６１の錠の位置は、支持部材６１の上面、もしくは下面に設けてもよい。
【０１３６】
横棒部材６２は第１支持部材６０と隙間を開けて取付けているため、横棒部材６２を保持部材６ａに掛けることができる。
【０１３７】
さらに扉２のドアハンドル７に設けられているドア錠（図示しない）を開け、ドアハンドル７を回して扉２を開放する。
【０１３８】
この時、図２０に示すように、扉２を開くと横棒部材６２は扉２と同時に開放される。
【０１３９】
図２０の破線は扉２を開放した状態であり、この図からもわかるとおり左側に自動販売機１００を隣接して設置した場合、連結部材６４は扉２に設けた接合部材６５より突出することがなく、扉２を開けた時に連結部材６４が隣の自動販売機に当たることがない。
【０１４０】
そのため、本実施の形態では、隣接して自動販売機を設置することができ、設置場所を効率的に使用することができる。
【０１４１】
またさらに本実施の形態では、扉２の軸支側に設けた支持部材６０に連結部材６４（例えば鎖など）の一端を固定し、他端を自動販売機の本体１に固定し、さらに扉の前面に配置するように横棒部材６２を支持部材６０と支持部材６１に掛け渡すことにより、扉２の軸支されている側と施錠側を開放させる悪戯、および扉２の正面からの悪戯に対し、防止効果がある。
【０１４２】
（実施の形態９）
図２１は本発明の実施の形態９による自動販売機の扉開放防止装置の斜視図、図２２は同実施の形態による自動販売機の扉開放防止装置の詳細図である。
【０１４３】
図２１、図２２において、１は自動販売機の本体、２は自動販売機の扉であり、本体１の前面に開閉可能に軸支されている。２ａは扉の軸支側前面部で、６７は軸支側前面部２ａ部分に取付けられている支持部材（第１支持部材）である。６１は本体１の右側面、すなわち扉２の軸支側とは反対側の側面に取付けられている支持部材（第２支持部材）で、錠（図示しない）が組み込まれている。
【０１４４】
６２は横棒部材であり、一端を支持部材６７に固定され、もう一端は継手部材６３を介して、支持部材６１に施錠されている。
【０１４５】
６ａは扉２を開ける時に、支持部材６１から外した横棒部材６２を保持する保持する保持部材で、７は扉２を開けるときに操作するドアハンドルである。
【０１４６】
６８は金属製の鎖で形成された可撓性の連結部材であり、所定の範囲で撓んだり伸び縮みしたりフレキシブルに形を変えることが可能であり、横棒部材６２と本体１とを連結している。６５は連結部材６８を本体に接合するための接合部材である。６９は連結部材６８を横棒部材６２に連結する変形可能な接合部材である。接合部材６９は両端に連結部材６８通す穴を設けた板状の部材を略Ｕ字状に曲げ加工し、横棒部材６２が本体１の左右幅方向に移動可能な形状，寸法としたものである。
【０１４７】
図２２に示すとおり、支持部材６７と連結部材６８とは接合部材６９で接合され、さらに支持部材６７を扉の軸支側前面部２ａに扉の内側から固定ボルト（図示しない）で固定している。固定ボルト（図示しない）は扉２の外側からは見えない構造となっている。
【０１４８】
また横棒部材６２を挿入する支持部材６０の挿入穴は、横棒部材６２を挿入した際、少し隙間が空くように穴の大きさを設けられており、横棒部材６２を支持部材６０に差し込んだ時、多少上下に動かすことができる。これは扉２を開けたときに横棒部材６２を保持部材６ａに掛けることができるように作用する。
【０１４９】
以上のように構成された自動販売機の扉開放防止装置について、以下その動作を説明する。
【０１５０】
図２１に示すように、本発明の自動販売機の扉開放防止装置は、一端が抜け止め加工された横棒部材６２を支持部材６７の孔に通し、さらに連結部材６８を接合した接合部材６９を横棒部材６２に装着し、横棒部材６２の他端に継手部材６３を簡単に外れないように接合する。
【０１５１】
このように組み立てられた自動販売機の扉開放防止装置を自動販売機の扉２に装着するには、支持部材６７を扉２の内部からボルト（図示しない）で固定し、さらに接合部材６５を自動販売機本体１の内部からボルト（図示しない）で固定する。さらに、継手部材６３と嵌合して施錠するための支持部材６１を自動販売機本体１の右側面（扉２の軸支側と反対側）に自動販売機本体１の内部からボルト（図示しない）で固定する。
【０１５２】
扉２を閉じる時は、ドアハンドル７を押し込み扉２を施錠してから、継手部材６３と支持部材６１を嵌合させ施錠する。
【０１５３】
扉２を開ける手順は、実施の形態８と同様であり、支持部材６１の錠（図示しない）を解錠して継手部材６３を取り付けた横棒部材６２を支持部材６１から外す。
【０１５４】
さらに扉２のドアハンドル７に設けられているドア錠（図示しない）を開け、ドアハンドル７を回して扉２を開放する。
【０１５５】
この時、扉２を開くと横棒部材６２は扉２と同時に開放されるが、連結部材６８（例えば鎖等）は変形可能であるため、図２０からも分かる通り左側に自動販売機１００を隣接して設置した場合、連結部材６８は扉２に設けた接合部材６５より左側に突出することがなく、扉２を開けた時に連結部材６８が隣の自動販売機に当たることがない。
【０１５６】
そのため、本実施の形態では、隣接して自動販売機を設置することができ、設置場所を効率的に使用することができる。
【０１５７】
また、自動販売機の外部には取り付けボルト等が見えない構造としたために、悪戯できる箇所を減らすことができ、悪戯の防止効果がある。
【０１５８】
以上のように本実施の形態の自動販売機の扉開放防止装置は、扉２の軸支側に設けた支持部材６７に横棒部材６２の一端を固定し、さらに連結部材６８で横棒部材６２と自動販売機本体１を連結し、他端を支持部材６１に施錠固定することで、扉２の前面に横棒部材６２が配置され、扉２の軸支されている側と施錠側を開放させる悪戯、および扉２の正面からの悪戯に対し、防止効果があります。
【０１５９】
なお、本実施の形態において、継手部材６３と支持部材６１で施錠する仕様としたが、扉２の軸支側と同様に、支持部材６７、連結部材６８、接合部材６５を扉２の反軸支側に取り付ける。このとき接合部材６５は施錠できる仕様とする。
【０１６０】
この仕様では、横棒部材６２は固定されているために、ドアハンドル７が操作できないために、横棒部材６２の位置を上下または前後に移動する必要がある。
【０１６１】
このような構成とすることで、部品の兼用が可能となりコストを抑えると同時に、部材の交換も容易にできる効果が得られる。
【０１６２】
なお、本実施の形態では連結部材６８は鎖を用いているが、金属ワイヤーのようなものでもよい。
【０１６３】
また、接合部材６９を省略して、連結部材６８を横棒部材６２に直接接合してもよい。
【０１６４】
【発明の効果】
以上説明したように請求項１に記載の発明は、自動販売機本体の左右の側面にそれぞれ設けられた第１支持部材および第２支持部材と、自動販売機前面であって前記第１支持部材と第２支持部材との間に取り付けられる横棒部材と、自動販売機の前面扉に取り付けられ前記横棒部材を保持するための保持部材とからなり、自動販売機の扉を開けたときには、横棒部材が保持部材に沿って扉と同期して開くことにより、横棒部材を先に開放する必要がなく、扉開放防止装置を装着した扉を容易に開放できる。
【０１６５】
また、本発明の請求項２に記載の発明は、請求項１に記載の発明に、さらに扉を開けるときに横棒部材が前記扉に接することを防ぐフック状のガイド部を形成する保持部材を備えたものであり、自動販売機の扉を開けたときには、横棒部材が保持部材のガイド部に沿って扉と同期して開くことにより、保持部材が扉に当たることによる扉の傷つきを防ぐことができる。またフック状であるため、横棒部材の取外しが容易にできる。
【０１６６】
また、本発明の請求項３に記載の発明は、請求項１に記載の発明に、さらに第１支持部材に取付けられた横棒部材の回動軸が自動販売機本体より前に位置することをことにより、自動販売機の扉の回転軸と近づくこととなり、扉を開けたとき横棒部材の動作軌跡が小さくなり、横棒部材の出っ張りが少なくなり、隣接して自動販売機を設置することができる。
【０１６７】
また、本発明の請求項４に記載の発明は、自動販売機本体の左右の側面にそれぞれ設けられた第１支持部材および第２支持部材と、自動販売機前面であって前記第１支持部材と第２支持部材との間に取り付けられる横棒部材とからなり、前記横棒部材は定められた角度に回動させた時、前記第１支持部材から取り外すことができるために、隣に自動販売機が接近して設置されている場合は、横棒部材を外すことにより、隣の自動販売機に横棒部材が当たることなく、扉を開けることができる。このため、扉開放防止装置を装着した場合でも自動販売機を横に隣接して設置することができる。
【０１６８】
また、本発明の請求項５に記載の発明は、自動販売機本体の左右の側面にそれぞれ設けられた第１支持部材および第２支持部材と、自動販売機前面であって前記第１支持部材と第２支持部材との間に取り付けられる横棒部材とからなり、前記横棒部材の一端は前記第１支持部材に、他端は前記第２支持部材に固定することで扉の開放を禁止しすることができ、前記第１支持部材と前記第２支持部材は前記横棒部材を錠による脱着が可能となっており、横棒部材を回転させることなく手前に引き出すだけで、横棒部材を取り外すことができ、容易に横棒部材を脱着することができる。
【０１６９】
また、本発明の請求項６に記載の発明は、請求項１から請求項６のいずれか一項において横棒部材を取付けたとき、自動販売機のドアハンドルの前面に前記横棒部材が位置するようにしたものであり、これにより、横棒部材を開放しなければ、ドアハンドルを起こして回すことができないため、自動販売機のドア錠を壊されても、ドアを開放を防止することができる。
【０１７０】
また、本発明の請求項７に記載の発明は、自動販売機本体の左右の側面にそれぞれ設けられた第１支持部材および第２支持部材と、自動販売機前面であって前記第１支持部材と前記第２支持部材との間に取り付けられる横棒部材とからなり、横棒部材が外観上不要な場合、横棒部材を取り外し、さらに扉支軸側に取り付けられた前記第１支持部材を扉支軸側の反対側扉の側面に取り付け変更することで、扉を閉じた時、前記第１支持部材は前記第２支持部材とお互いのコの字状の部分を嵌合し、第２支持部材の固定軸にて施錠することで扉の開放を防止することができる。また新たな支持部材を準備する必要がなく、設置場所に応じた方法を選択することができる。
【０１７１】
また、本発明の請求項８に記載の発明は、自動販売機の本体前面に開閉自在に軸支された扉と、前記本体の側面のうち前記扉の反軸支側に設けられた支持部材と、扉を閉じた時前記支持部材に嵌合するように扉に設けられたカバー部材とからなり、前記支持部材に施錠固定されることで前記扉の開放を禁止するとともに、扉のドアハンドルを目隠しすることにより、カバー部材が支持部材に施錠されているときは、ドアハンドルに触れることができないため、ドアハンドル部の錠を壊すことが困難であり、ドア破損の被害を防ぐことができる。
【０１７２】
また、本発明の請求項９に記載の発明は、自動販売機の本体前面に開閉自在に軸支された扉と、前記本体の両側面のうち前記扉の軸支側に設けられた第１支持部材と前記扉の反軸支側に設けられた第２支持部材と、前記扉の前方であって前記第１支持部材と第２支持部材との間に掛け渡して取り付けられる前面カバー部材と、前記前面カバー部材の一端は第１支持部材に回動自在に軸支され、他端は第２支持部材に施錠固定されることで前記扉の開放を禁止し、前記前面カバー部材は扉の前面に設けた貨幣投入口やドアハンドル等を覆い隠すとともに、前記貨幣投入口等の接客に必要な部分に窓を設けたことにより、自動販売機の販売機能は損なわず、特に貨幣等を収納している部分のこじ開け、破壊を防ぐことができる。
【０１７３】
また、本発明の請求項１０に記載の発明は、請求項１から請求項７の発明に、さらに横棒部材が左部材と右部材と中部材の３分割の部材とし、横棒部材の全長が可変できるように左部材と右部材を中部材に固定する固定手段を設けたことにより、自動販売機の幅寸法が変わっても、中部材に固定している左部材と右部材とを横棒部材の全長が変わるように固定し直すことにより、新たな自動販売機に装着できる。
【０１７４】
本発明の請求項１１に記載の発明は、自動販売機本体の左右側面にそれぞれ設けられた第１支持部材と第２支持部材と、自動販売機前面であって前記第１支持部材と第２支持部材との間に掛け渡して取り付けられる横棒部材を有し、前記横棒部材の一端に係合部を設けた第１継手部と他端には第２継手部を設け一体化してなり、前記横棒部材の片端は第１支持部材に回動自在に軸支され、他端は第２支持部材に施錠固定されることで前記扉の開放を禁止し、第1継手部材と第2継手部材がそれぞれ第1支持部材と第2支持部材と隙間無く係合することにより、係合部に対しての悪戯がされにくくすることができる。
【０１７５】
本発明の請求項１２に記載の発明は、請求項１１の記載の発明に、さらに第１支持部材と第1継手部材と係合する係合部を複数設けることにより、1箇所が破壊されたとしても、他の箇所で係合されていることで係合部が外れにくく、堅牢な係合部を構成することができる。
【０１７６】
本発明の請求項１３に記載の発明は、請求項１１の記載の発明に、さらに第１支持部材に取付けられた第１継手部材と一体化された横棒部材の回動軸が、自動販売機本体より前面に位置することにより、自動販売機の扉の回転軸と近づくことになり、扉を開けたとき横棒部材の動作軌道が小さくなり、横棒部材の出っ張りが自販機側面より少なくなることで邪魔になることは無く、自動販売機の設置面積を小さくすることができる。
【０１７７】
本発明の請求項１４に記載の発明は、請求項１１の記載の発明に、さらに第２支持部材と係合する第２継手部材を、係合する係止軸を外部から見えない様、係合隙間を目隠しするように係合軸の後部位置までカバーすることで、悪戯がされにくくすることができる。
【０１７８】
本発明の請求項１５に記載の発明は、請求項１１の記載の発明に、さらに第２支持部材と係合する第２継手部材を、係合する係止軸と他端は横棒部材と着脱自在に取り外し出来る取付部を有して着脱自在にとし、前記第２継手部中央部には扉とネジにて固定保持できる取付部を有した逆Ｌ形状であり、横棒部材が不要な扉構造、設置場所には右ドアーのみ、こじ開けが防止できる防盗部品として装着が出来る為、防盗ツール部品の共用化を図ることができる。
【０１７９】
本発明の請求項１６に記載の発明は、請求項１１から請求項１４に記載の発明に、さらに前記第１支持部材と前記第２支持部材に前記横棒部材をそれぞれ錠による施錠固定されることで脱着が可能となっており、横棒部材の扉開閉時の出っ張りが不要となり、更に設置面積が小さく出来、同一部品で設置条件に応じて施錠の選択が出来る構造であり部品の共用化を図ることができる。
【０１８０】
本発明の請求項１７に記載の発明は、請求項１１から請求項１４および請求項１６に記載の発明に、第１支持部材と第２支持部材との間に横棒部材又は第２継手部を取り付けたとき、自動販売機のドアハンドルの前面に前記横棒部材が位置するようにしたものであり、これにより、横棒部材を開放しなければ、ドアハンドルの錠を破壊し回すことが出来ない為、自動販売機側の錠を破壊されないので、自動販売機本体の施錠を有効に使え、堅牢性を向上することができる。
【０１８１】
本発明の請求項１８に記載の発明は、請求項１１から請求項１４および請求項１６から請求項１７に記載の発明に、さらに横棒部材が第１継手部材と第２継手部材と中央部材の３つの部材とし、前記中央部材は中空として、前記中空部の中に材質の異なる硬質部材を入れることにより、横棒部材を切断しにくくなり、装置を小型化で堅牢性が高い構造とすることができる。
【０１８２】
本発明の請求項１９に記載の発明は、請求項１１から請求項１４および請求項１６から請求項１８に記載の発明に、さらに第1継手部材と第２継手部材と横棒部材はそれぞれ取り外し可能な取付部を設けたことで、自動販売機のドアー巾寸法が異なる場合、横棒部材を取替えることにより各種の自販機に対応が出来、低価格で、ドア開放に対し堅牢性の強化が図れる作用を有する。
【０１８３】
また本発明の請求項２０に記載の発明は、自動販売機の本体前面に開閉自在に軸支された扉と、前記扉の両側面の軸支側に設けられた第１支持部材と、前記本体側面であって扉の反軸支側に設けられた第２支持部材と、前記扉の前方であって前記第１支持部材と第２支持部材との間に掛け渡して取り付けられる横棒部材を有し、前記第１支持部材は前記本体と連結するための変形可能な連結部材を設け、前記横棒部材の片端は第１支持部材に固定され、他端は第２支持部材に施錠固定されることで、第１支持部材と本体を変形可能な連結部材で連結したため、扉の軸支側の開放防止を行うとともに、扉を開けるときに連結部材が扉に沿うように変形するために扉を閉めている時より横方向に突出することがなく、連結部材を取付けたままでも、隣接する他の自動販売機の邪魔にならないように扉の開閉ができる。
【０１８４】
本発明の請求項２１に記載の発明は、請求項２０の発明に、さらに連結部材を本体側面に連結する接合部材設け、連結部材は扉の開閉に合わせて変形するとき、前記本体側面に設けられた接合部材の高さを超えないことで、扉を開けるときに連結部材が扉に沿うように変形するために扉を閉めている時の接合部材の高さより横方向に突出することがなく、連結部材を取付けたままでも、隣接する他の自動販売機の邪魔にならないように扉の開閉ができ、隣に他の自動販売機を設置する時に間隔を空けることに注意をする必要がなく、設置作業を容易にすることができる。
【０１８５】
本発明の請求項２２に記載の発明は、請求項２０および請求項２１の発明に、さらに第１支持部材は本体と連結する連結部材を複数個取付けできることで、第１支持部材と本体との連結数を簡単に増やすことができ、扉の開放防止を容易に強化することができる。
【０１８６】
本発明の請求項２３に記載の発明は、自動販売機の本体前面に開閉自在に軸支された扉と、扉の前面に配置される横棒部材と、前記横棒部材の一端を前記本体の側面の一方に連結する連結部材と前記横棒部材の他端を前記本体側面の他方に施錠固定されることで前記扉の開放を禁止するもので、横棒部材と連結部材を直接本体と連結することにより、悪戯する部材を減らすことで、扉の開放防止を強化することができる。
【０１８７】
本発明の請求項２４に記載の発明は、請求項２３の発明にさらに、扉の軸支側の端部に横棒部材が取り付けられる第１支持部材を設けたものであり、扉を開放した際に、第１支持部材により横棒部材を支えることができ、扉の開放に沿って動くことにより邪魔になることがなく、扉の開放防止を強化することができる。
【０１８８】
本発明の請求項２５に記載の発明は、自動販売機の本体前面に開閉自在に軸支された扉と、扉の前面に配置される横棒部材と、横棒部材を取り付ける支持部材を扉の左右端に設け、本体と横棒部材とを連結する可撓性の連結部材とを有し、連結部材が、扉の軸支側または反軸支側の少なくとも一方において、横棒部材または支持部材と本体との間に架設したものであり、横棒部材の両端を扉の左右端の支持部材に固定することにより、扉の開放する際、横棒部材は扉に付随して動作するため、横棒部材が邪魔になることがなく、扉前面を横棒部材にて悪戯を防ぐことができ、扉の開放防止を強化することができる。
【０１８９】
本発明の請求項２６に記載の発明は、自動販売機の本体前面に開閉自在に軸支された扉と、扉の軸支側端部に設けられた第１支持部材と、本体側面であって扉の反軸支側に設けられた第２支持部材と、扉の前方であって第１支持部材と第２支持部材との間に掛け渡して取り付けられる横棒部材と、横棒部材と本体とを連結する可撓性の連結部材とを有し、横棒部材の一端は第１支持部材に固定され、他端は第２支持部材に施錠固定されるもので、扉の一端に設けられた第１支持部材が横棒部材を支えていることで扉の開放に沿って横棒部材が動くことにより邪魔にならず、また横棒部材が連結部材によって直接本体と連結することにより、第１支持部材が悪戯されたとしても、扉の開放を禁止することができる。また、扉の両側を変形可能な連結部材で連結することで、扉の形状が異なっても長さを調節することで容易に対応することができる。
【図面の簡単な説明】
【図１】本発明による自動販売機の扉開放防止装置の実施の形態１の斜視図
【図２】同実施の形態の自動販売機の扉開放防止装置の正面図
【図３】同実施の形態の自動販売機の扉開放防止装置の上面図
【図４】同実施の形態の自動販売機の扉開放防止装置の第１支持部材の詳細図
【図５】同実施の形態の自動販売機の扉開放防止装置の第２支持部材の詳細図
【図６】本発明による自動販売機の扉開放防止装置の実施の形態２の斜視図
【図７】同実施の形態の自動販売機の扉開放防止装置の正面図
【図８】本発明による自動販売機の扉開放防止装置の実施の形態３の斜視図
【図９】本発明による自動販売機の扉開放防止装置の実施の形態４の斜視図
【図１０】本発明による自動販売機の扉開放防止装置の実施の形態５の斜視図
【図１１】本発明による自動販売機の扉開放防止装置の実施の形態６の斜視図
【図１２】本発明による自動販売機の扉開放防止装置の実施の形態７の斜視図
【図１３】同実施の形態による自動販売機の扉開放防止装置の第１支持部材の詳細図
【図１４】同実施の形態による自動販売機の扉開放防止装置の第２支持部材の詳細図
【図１５】同実施の形態による自動販売機の扉開放防止装置の上面図
【図１６】同実施の形態による自動販売機の扉開放防止装置の第２支持部材の上面図
【図１７】同実施の形態による自動販売機の扉開放防止装置の横棒部材の詳細図
【図１８】本発明による自動販売機の扉開放防止装置の実施の形態８の斜視図
【図１９】同実施の形態の自動販売機の扉開放防止装置の詳細図
【図２０】同実施の形態の自動販売機の扉開放防止装置の上面図
【図２１】本発明による自動販売機の扉開放防止装置の実施の形態９の斜視図
【図２２】同実施の形態の自動販売機の扉開放防止装置の詳細図
【符号の説明】
１  本体
２  扉
３  支持部材（第１支持部材）
４  支持部材（第２支持部材）
５  横棒部材
６  保持部材
７  ドアハンドル
１０  錠
１６  カバー部材
１７  前面カバー部材
２２  中部材
２３  左部材
２４  右部材
３０  支持部材（第１支持部材）
３１  支持部材（第２支持部材）
３２  継手部材（第１継手部材）
３３  継手部材（第２継手部材）
３４  横棒部材
３９  錠
４５  取付部
５４  中心部
６０  支持部材（第１支持部材）
６１  支持部材（第２支持部材）
６２  横棒部材
６４  連結部材
６５  接合部材
６７  支持部材（第１支持部材）
６８  連結部材


【手続補正２】
【補正対象書類名】図面
【補正対象項目名】図３
【補正方法】変更
【補正の内容】
【図３】
2003178360.tif 000001
【手続補正３】
【補正対象書類名】図面
【補正対象項目名】図１２
【補正方法】変更
【補正の内容】
【図１２】
2003178360.tif 000002
【手続補正４】
【補正対象書類名】図面
【補正対象項目名】図１５
【補正方法】変更
【補正の内容】
【図１５】
2003178360.tif 000003
【手続補正５】
【補正対象書類名】図面
【補正対象項目名】図１６
【補正方法】変更
【補正の内容】
【図１６】
2003178360.tif 000004
【手続補正６】
【補正対象書類名】図面
【補正対象項目名】図１７
【補正方法】変更
【補正の内容】
【図１７】
2003178360.tif 000005